(57)【特許請求の範囲】
【請求項１】
スタジオ外でのＴＶ中継作業に使用可能であると共に、スタジオ内でのＴＶ中継作業にも使用可能な、ＴＶ中継システムであって、
ワゴン車を含む貨物車輌の荷台に積載可能なＴＶカメラと、該ＴＶカメラに接続可能なＴＶ中継用の周辺機材と、該周辺機材を収納した機器ラックと、該貨物車輌の荷台上に着脱可能に取付けられた専用床板と、
該専用床板上に前後方向に形成され、該機器ラックを載せて移動させることが可能なレールと、該レールに載せられた該機器ラックを固定可能なロック機構と、
該機器ラックを載せて移動可能な台車と、を有していることを特徴とするＴＶ中継システム。
【請求項２】
請求項１において、該機器ラックは箱状をなし、正面が開放されると共に棚を備えており、該周辺機材が、正面側から操作可能に該棚を利用して収納されていること、を特徴とするＴＶ中継システム。
【請求項３】
請求項２において、該機器ラックは、該貨物車輌の荷台上に取付けられた該専用床板に、該レールおよびロック機構を利用して積載，固定されると共に、収納されている該周辺機材が、該荷台に共に積載されていた該ＴＶカメラに接続され、
もって、スタジオ外でのＴＶ中継作業に使用可能となっており、該貨物車輌がＴＶ中継車として使用されること、を特徴とするＴＶ中継システム。
【請求項４】
請求項２において、該機器ラックは該貨物車輌から降ろされ、該台車上に積載，固定されて移動されると共に、収納された該周辺機材が該ＴＶカメラに接続され、
もって、スタジオ内でのＴＶ中継作業に使用可能となっていること、を特徴とするＴＶ中継システム。
【請求項５】
請求項３又は４において、該周辺機材としては、少なくとも、ＴＶカメラスタッフとのトータル的連絡確認用機器、複数の該ＴＶカメラよりの映像切り換え用機器、複数のマイクロフォンからの音声切換用機器、生中継で取得した映像や音声の送信用機器、映像や音声の収録用機器、該ＴＶカメラへの電源供給用機器、ＴＶカメラスタッフとの個別的双方向通信用機器、モニター機器、電源ユニットを、すべて又は選択的に、該機器ラックに収納可能となっていること、を特徴とするＴＶ中継システム。
【請求項６】
請求項５において、該機器ラックは、左右方向へのずれを防止すべく、底面について、該レールに接触可能なガイド条が左右両側に突設されると共に、前後方向の正面側に固定片が突設されており、
該ロック機構は、該固定片と該レール溝間を係止することにより、積載された該機器ラックを、該レール，専用床板，貨物車輌の荷台上に、固定可能となっていること、を特徴とするＴＶ中継システム。
【請求項７】
請求項６において、該台車は、該機器ラックのガイド条と嵌まり合う設定よりなると共に、該機器ラックの固定片に対応可能な固定突片が、前後方向に突設されており、
該ロック機構は、該固定片と固定突片間を係止することにより、積載された該機器ラックを、該台車上に固定可能となっていること、を特徴とするＴＶ中継システム。
【請求項８】
請求項５において、該レールは断面溝状をなし、該専用床板上に２本１組で偶数組形成されており、もって最大で同偶数の整数倍の該機器ラックが、該貨物車輌の荷台上に積載可能となっていること、を特徴とするＴＶ中継システム。
【請求項９】
請求項８において、１組の該レールは、前後方向に該機器ラックを少なくとも２個載せることが可能な前後長さよりなるが、該機器ラックは、１組の該レールあたり１個のみ載せられており、
該貨物車輌による運搬時において、該機器ラックは、該レールそして専用床板上の前側位置に積載，固定されると共に、該専用床板上の後側位置には、該ＴＶカメラ，三脚，ケーブル，発電機等の付帯機材が積載されており、
スタジオ外でのＴＶ中継作業時においては、まず、該付帯機材が車外搬出されると共に、該機器ラックが後側位置に移動，固定され、もって、該専用床板上の前側位置が、ＴＶ中継用の作業スペースとして活用可能となること、を特徴とするＴＶ中継システム。
【発明の詳細な説明】
【技術分野】
【０００１】
本発明は、ＴＶ中継システムに関する。すなわち、スタジオ外でのＴＶ中継作業に使用可能であると共に、スタジオ内でのＴＶ中継作業にも使用可能な、ＴＶ中継システムに関するものである。
【背景技術】
【０００２】
《従来技術》
スタジオ外でのＴＶ中継作業は、従来より、ＴＶ中継車を使用して行われている。そして、従来より使用されているＴＶ中継車は、大型，中型，小型の３種に分類される。
大型のＴＶ中継車は、積載量１０トンクラスよりなる。そして、全長約８メートルの車体に、大型発動発電機や空調機が取付けられると共に、１０台以上のＴＶカメラが積載されており、その周辺機材（ＴＶ中継用の周辺機材）は固定的に装備されていた。価格は約１０億円であり、主にキーＴＶ局，準キーＴＶ局で使用されている。
中型のＴＶ中継車は、積載量３〜４トンクラスよりなる。そして、全長約６メートルの車体に、中型発動発電機や空調機が取付けられると共に、４〜８台のＴＶカメラが積載されており、その周辺機材は固定的に装備されていた。価格は約４億円であり、主にローカルＴＶ局で使用されている。
小型のＴＶ中継車は、積載量１〜１．５トンクラスよりなる。そして、全長５メートル以下の車体に、小型発動発電機が取付けられると共に、３台程度のＴＶカメラが積載されており、周辺機材は積み降ろし不能に固定的に装備されていた。空調は、車輌に装備されているエアコンを使用することが多い。
【発明の概要】
【発明が解決しようとする課題】
【０００３】
《問題点》
ところで、このような従来のＴＶ中継車については、次の課題が指摘されていた。従来のＴＶ中継車は、上述した装備等よりなり、車輌の架装業者によって大幅改装が行われている。もって、架装改装費だけで例えば数百万円から〜数千万円程度要すると共に、道路走行に際しては、改めて８ナンバーの特殊車輌として車輌検査が必要となる。
又、従来のＴＶ中継車は、スタジオ外でのＴＶ中継作業の専用車輌であり、ＴＶ中継作業がない時は、長時間，長日数にわたり休眠状態となり、稼働率が極めて悪かった。
すなわち、スタジオ外でのＴＶ中継作業がない時、ＴＶ中継車は、その間長時間，長日数にわたり不使用，待機，保管，休眠状態となり、稼働率が非常に悪かった。これと共に、その高価な装備品であるＴＶカメラや周辺機材も、その間、不使用，待機，保管，休眠状態となってしまい、これ又、稼働率が甚だ悪かった。
このように従来のＴＶ中継車は、架装改装費，維持費，償却費等のコスト負担が過大である上に、稼働率も悪く、例えばローカルＴＶ局やケーブルＴＶ局によっては、採用困難となることも多かった。
【０００４】
《本発明について》
本発明のＴＶ中継システムは、このような実情に鑑み、上記従来技術の課題を解決すべくなされたものである。
そして本発明は、第１に、車輌，ＴＶカメラ，周辺機材等の稼働率が向上すると共に、第２に、これが簡単容易に少人数作業で実現され、第３に、車輌の架装改装費も嵩まずコスト面にも優れて実現される、ＴＶ中継システムを提案することを目的とする。
【課題を解決するための手段】
【０００５】
《各請求項について》
このような課題を解決する本発明の技術的手段は、特許請求の範囲に記載したように、次のとおりである。
請求項１については、次のとおり。
請求項１のＴＶ中継システムは、スタジオ外でのＴＶ中継作業に使用可能であると共に、スタジオ内でのＴＶ中継作業にも使用可能である。
そして、ワゴン車を含む貨物車輌の荷台に積載可能なＴＶカメラと、該ＴＶカメラに接続可能なＴＶ中継用の周辺機材と、該周辺機材を収納した機器ラックと、該貨物車輌の荷台上に着脱可能に取付けられた専用床板と、該専用床板上に前後方向に形成され、該機器ラックを載せて移動させることが可能なレールと、該レールに載せられた該機器ラックを固定可能なロック機構と、更に、該機器ラックを載せて移動可能な台車と、を有していることを特徴とする。
請求項２については、次のとおり。
請求項２のＴＶ中継システムでは、請求項１において、該機器ラックは箱状をなし、正面が開放されると共に棚を備えており、該周辺機材が、正面側から操作可能に該棚を利用して収納されていること、を特徴とする。
【０００６】
請求項３については、次のとおり。
請求項３のＴＶ中継システムでは、請求項２において、該機器ラックは、該貨物車輌の荷台上に取付けられた該専用床板に、該レールおよびロック機構を利用して積載，固定される。これと共に、収納されている該周辺機材が、該荷台に共に積載されていた該ＴＶカメラに接続される。
もって、スタジオ外でのＴＶ中継作業に使用可能となっており、該貨物車輌がＴＶ中継車として使用されること、を特徴とする。
請求項４については、次のとおり。
請求項４のＴＶ中継システムでは、請求項２において、該機器ラックは該貨物車輌から降ろされ、該台車上に積載，固定されて移動されると共に、収納された該周辺機材が、該ＴＶカメラに接続される。もって、スタジオ内でのＴＶ中継作業に使用可能となっていること、を特徴とする。
請求項５については、次のとおり。
請求項５のＴＶ中継システムでは、請求項３又は４において、該周辺機材としては、少なくとも、ＴＶカメラスタッフとのトータル的連絡確認用機器、複数の該ＴＶカメラよりの映像切り換え用機器、複数のマイクロフォンからの音声切換用機器、生中継で取得した映像や音声の送信用機器、映像や音声の収録用機器、該ＴＶカメラへの電源供給用機器、ＴＶカメラスタッフとの個別的双方向通信用機器、モニター機器、電源ユニットを、すべて又は選択的に、該機器ラックに収納可能となっていること、を特徴とする。
【０００７】
請求項６については、次のとおり。
請求項６のＴＶ中継システムでは、請求項５において、該機器ラックは、左右方向へのずれを防止すべく、底面について、該レールに接触可能なガイド条が左右両側に突設されると共に、前後方向の正面側に固定片が突設されている。
そして該ロック機構は、該固定片と該レール溝間を係止することにより、積載された該機器ラックを、該レール，専用床板，貨物車輌の荷台上に、固定可能となっていること、を特徴とする。
請求項７については、次のとおり。
請求項７のＴＶ中継システムは、請求項６において、該台車は、該機器ラックのガイド条と嵌まり合う設定よりなると共に、該機器ラックの固定片に対応可能な固定突片が、前後方向に突設されている。そして該ロック機構は、該固定片と固定突片間を係止することにより、積載された該機器ラックを、該台車上に固定可能となっていること、を特徴とする。
請求項８については、次のとおり。
請求項８のＴＶ中継システムでは、請求項５において、該レールは断面溝状をなし、該専用床板上に２本１組で偶数組形成されており、もって最大で同偶数の整数倍の該機器ラックが、該貨物車輌の荷台上に積載可能となっていること、を特徴とする。
【０００８】
請求項９については、次のとおり。
請求項９のＴＶ中継システムは、請求項８において、１組の該レールは、前後方向に該機器ラックを少なくとも２個載せることが可能な前後長さよりなるが、該機器ラックは、１組の該レールあたり１個のみ載せられる。
そしてまず、該貨物車輌による運搬時においては、次のとおり。該機器ラックは、該レールそして専用床板上の前側位置に、積載，固定される。これと共に、該専用床板上の後側位置には、該ＴＶカメラ，三脚，ケーブル，発電機等の付帯機材が積載される。
これに対し、スタジオ外でのＴＶ中継作業時においては、次のとおり。まず、該付帯機材が車外搬出されると共に、該機器ラックが後側位置に移動，固定される。もって、該専用床板上の前側位置が、ＴＶ中継用の作業スペースとして活用可能となること、を特徴とする。
【０００９】
《作用等について》
本発明は、このような手段よりなるので、次のようになる。
（１）このＴＶ中継システムは、ＴＶカメラ，周辺機材，機器ラック，レール付専用床板，ロック機構，台車等を、備えている。
（２）そしてまず、スタジオ外でのＴＶ中継に関しては、次のとおり。専用床板が、貨物車輌の荷台に取付けられており、周辺機材を収納した機器ラックは、この専用床板上に、レールやロック機構等を利用して、積載，固定されている。
（３）車輌走行先，移動先の目的地の中継現場では、車外搬出されたＴＶカメラに、機器ラックに収納された周辺機材が接続され、もって、スタジオ外での中継作業が実施される。機器ラックの周辺機材は、中継サブシステムとして使用され、映像と音声について生中継や収録が行われる。
（４）このように貨物車輌は、ＴＶ中継車として使用される。なお、次のような使用例も、可能である。
すなわち、車輌走行移動時には、レール，専用床板の前側位置に、機器ラックを積載，固定し、後側位置には、ＴＶカメラ，その他の付帯機材が積載される。
そしてＴＶ中継作業時には、ＴＶカメラ等の付帯機材が車外搬出され、機器ラックが後側位置に移動，固定されると共に、空いた前側位置が、ＴＶ中継用の作業スペースとして活用可能である。
（５）他方、スタジオ内での中継作業に関しては、次のとおり。機器ラックは、貨物車輌から降ろされて、台車上にロック機構等を利用して積載，固定され、ＴＶカメラが接続される。
（６）もって、機器ラックに収納された周辺機材は、中継サブシステムとして使用され、もってスタジオ内での中継作業が実施される。
【００１０】
（７）さてそこで、本発明のＴＶ中継システムによると、まず次のようになる。ＴＶカメラや周辺機材は、スタジオ内外でのＴＶ中継に共に使用可能であり、稼働率が向上する。又、スタジオ外でのＴＶ中継がない時、使用された貨物車輌は、専用床板を取り外すだけで、他の通常用途に使用可能であり、その稼働率も向上する。
（８）本発明において、スタジオ外でのＴＶ中継のために、機器ラックを貨物車輌に積載，固定する作業は簡単であり、少人数の人力で容易に可能である。又、スタジオ内でのＴＶ中継のために、機器ラックを台車に積載，固定する作業も、少人数の人力で容易に可能である。
（９）本発明で使用される貨物車輌は、荷台にレール付の専用床板を取付けるだけで、特に架装改装することもなく、ＴＶ中継車として使用可能である。もって、コスト面に優れている。
（１０）さてそこで、本発明のＴＶ中継システムは、次の効果を発揮する。
【発明の効果】
【００１１】
《第１の効果》
第１に、車輌，ＴＶカメラ，周辺機材等の稼働率が向上する。本発明のＴＶ中継システムは、スタジオ外でのＴＶ中継作業に使用可能であると共に、スタジオ内でのＴＶ中継作業にも使用可能である。
このように、高価なＴＶカメラやＴＶ中継用の周辺機材が、スタジオ内外で共に使用可能であり、その分、稼働率が向上する。
又、スタジオ外でのＴＶ中継作業がない時、使用する貨物車輌は無架装方式なので、ＴＶ中継車以外の他の通常用途に使用可能であり、貨物車輌の稼働率も向上する。前述した従来よりのＴＶ中継車、つまりスタジオ外のＴＶ中継専用車輌のように、ＴＶ中継がない時は、ずっと不使用状態となるようなことがない。
このように、スタジオ外でのＴＶ中継作業がない時に、車輌，ＴＶカメラ，周辺機材等が、その間長時間，長日数にわたり待機，保管，休眠状態となることは回避される。本発明では、これらの稼働率が大幅に向上する。
【００１２】
《第２の効果》
第２に、これは簡単容易に、少人数作業で実現される。本発明のＴＶ中継システムでは、上述したように貨物車輌，ＴＶカメラ，周辺機材等の稼働率が向上するが、これは簡単容易に実現される。
すなわち、スタジオ内やスタジオ外でのＴＶ中継に備えるべく、周辺機材を収納した機器ラックを、貨物車輌に対し積み込む作業や降ろす作業は簡単であり、少人数で容易に実施可能である。又、台車上に対し積み込む作業や降ろす作業も簡単であり、少人数で容易に実施可能である。
【００１３】
《第３の効果》
第３に、しかも車輌の架装改装費も嵩まず、コスト面にも優れて実現される。本発明のＴＶ中継システムは、スタジオ外でのＴＶ中継作業のみならず、スタジオ内でのＴＶ中継作業にも使用されるが、スタジオ外でのＴＶ中継に際しては、その貨物車輌が、ＴＶ中継車として使用される。
それにも拘らず、この貨物車輌は、特に架装改装されることもなく、ＴＶ中継車として使用される。前述した従来よりのＴＶ中継車のように、架装業者による大幅な改装を行うこともなく、８ナンバーの特殊車輌として車輌検査の必要が生じることもなく、使用可能である。
すなわち、貨物車輌に専用床板を着脱可能に取付けるだけで済み、例えば、従来よりのＴＶ中継車では、数百万円から〜数千万円程度要していた架装改装費が、本発明では数十万円程度で済む等、コスト負担が大幅軽減される。
このように、この種従来例に存した課題がすべて解決される等、本発明の発揮する効果は、顕著にして大なるものがある。
【図面の簡単な説明】
【００１４】
【図１】本発明に係るＴＶ中継システムについて、発明を実施するための形態の説明に供し、斜視図である。そして（１）図は、貨物車輌，荷台，専用床板，レール等を示し、（２）図は、床板，レールの他の例を示す。
【図２】同発明を実施するための形態の説明に供し、要部図面である。そして（１）図，（２）図，（３）図は、機器ラックと専用床板やレールとの関係を示し、（１）図は、機器ラックが載せられる前の平面図、（２）図は、載せられた後の平面図、（３）図は、載せられた後の正面図である。  （４）図，（５）図は、ロック機構の説明に供し、（４）図は、要部を拡大した正面図、（５）図は、斜視図である。
【図３】同発明を実施するための形態の説明に供し、（１）図は、機器ラックの斜視図、（２）図は、台車に載せられた機器ラックの斜視図である。両図において、収納された周辺機材は、図示を省略。
【図４】同発明を実施するための形態の説明に供し、機器ラックに周辺機材を収納した状態の写真である。
【図５】同発明を実施するための形態の説明に供し、（１）図は、周辺機材を収納した機器ラックを貨物車輌に積載した状態の写真であり、（２）図は、スタジオ外でのＴＶ中継作業の写真である。（３）図は、機器ラック等を積み降ろした後の貨物車輌，荷室等の写真である。
【発明を実施するための形態】
【００１５】
以下、本発明を実施するための形態について、図面を参照して詳細に説明する。
《本発明の概要》
まず、本発明のＴＶ中継システムの概要について、説明する。
このＴＶ中継システムは、スタジオ外でのＴＶ中継作業に使用可能であると共に、スタジオ内でのＴＶ中継作業にも使用可能である。そしてＴＶカメラ１，周辺機材２，機器ラック３，専用床板４，レール５，ロック機構６，台車７等を、備えてなる。
すなわち、貨物車輌８の荷台９に積載可能なＴＶカメラ１と、ＴＶカメラ１に接続可能なＴＶ中継用の周辺機材２と、周辺機材２を収納した機器ラック３と、貨物車輌８の荷台９上に着脱可能に取付けられた専用床板４と、専用床板４上に前後方向に形成され機器ラック３を載せて移動させることが可能なレール５と、レール５に載せられた機器ラック３を専用床板４上で固定可能なロック機構６と、機器ラック３を載せて移動可能な台車７と、備えてなる。
本発明の概要は、以上のとおり。以下、このような本発明のＴＶ中継システムについて、更に詳細に説明する。
【００１６】
《ＴＶカメラ１，その周辺機材２について》
まず、ＴＶカメラ１およびその周辺機材２について、説明する。ＴＶカメラ１は、テレビ局やプロダクション等において、スタジオ内外でのＴＶ中継用に使用される。そして通常は、複数台が同時併行的に使用され、ＨＤハイディフィニション化，高品位化の進展が著しい。
そして、図５の（１）図中に示したように、ＴＶカメラ１は、スタジオ外でのＴＶ中継作業に向かう際は、ワゴン車や小型貨物車を含む貨物車輌８の荷台９に、積載される。図５の（２）図は、その後、スタジオ外の目的地において、ＴＶ中継作業に使用中の状態を示す。
【００１７】
周辺機材２は、このようなＴＶカメラ１に接続可能であり、ＴＶカメラ１によるＴＶ中継用に使用される。
このような周辺機材２としては、ＴＶカメラ１のスタッフとのトータル的連絡確認用機器（ライブユニット）、複数のＴＶカメラ１より受信した映像切り換え用機器（スイッチャー）、複数のマイクロフォンから受信した音声切換用機器（ミキサー）、生中継で取得した映像や音声の送信用機器、映像や音声の収録用機器（レコーダ）、ＴＶカメラ１への電源供給用機器、ＴＶカメラ１のスタッフとの個別的双方向通信用機器（ベースユニット）、モニター機器（ディスプレイ）、電源ユニット等が、少なくとも挙げられる。
そして、このような各種周辺機材２について、１個，複数個，又はすべてが選択されて、機器ラック３に収納される。
図４に示した例の機器ラック３では、図中上側から下側に向け、トータル的連絡確認用機器（各ＴＶカメラ１との集約的連絡用）、映像切り換え用機器、個別的双方向通信用機器（各ＴＶカメラ１各々との個別連絡用，図示例では４個）、最下段左側に電源ユニット、最下段右側に収録用機器等の周辺機材２が、収納されている。
ＴＶカメラ１，その周辺機材２については、以上のとおり。
【００１８】
《機器ラック３について》
次に機器ラック３について、説明する。機器ラック３は、図３の（１）図に示したように、箱状をなし軽量構造よりなり、正面が開放されると共に、棚１０を備えており、図４に示したように、上述したＴＶ中継用の周辺機材２が、正面側から操作可能に棚１０を利用して収納される。
そして機器ラック３は、左右方向へのずれを防止すべく、底面について、専用床板４側のレール５に接触可能なガイド条１１が、左右両側に突設されると共に、前後方向の正面側に固定片１２が突設されている。
すなわち、貨物車輌８に車載走行された際において、機器ラック３のレール５上からの左右方向へのずれ移動を防止するため、図２の（１）図中に示したように、レール５に接触可能なガイド条１１が、配設されている。このガイド条１１は、２本１組のレール５の図示例ではそれぞれ外側に位置すべく、機器ラック３底面の左右両側に突設され、もって前後方向に向け条状に配設されている。
更に、図２の（１）図〜（４）図，図３の（１）図等に示したように、機器ラック３の底面付近から前後方向の正面側に向け、左右２枚の固定片１２が突設取付けされている。この固定片１２は、ロック機構６による機器ラック３のレール５，専用床板４上への固定用に使用される。図３中１３は、機器ラック３の積み降ろし用の取手である。
機器ラック３については、以上のとおり。
【００１９】
《専用床板４について》
次に、専用床板４について、説明する。専用床板４は、貨物車輌８の荷室１４の荷台９上に、着脱可能に取付けられる。
この専用床板４は、ＴＶ中継用の周辺機材２を収納した機器ラック３を、貨物車輌８の荷台９上に積載するための、基礎部分である。そこで、強度と加工性を得べく、厚手の合板に金属板を貼り合わせた板材が用いられており、このような板材が、貨物車輌８の荷台９床形状に合わせて切断加工され、もって図１中に示したような形状に製作される。
貨物車輌８の荷台９床の周辺部要所には、予めアンカーナット等のナット１５が埋め込まれている。もって専用床板４は、各ボルト１６をナット１５に螺着することにより、荷台９上に堅固に固定される。
勿論、ボルト１６のナット１５に対する螺合を解くことにより、専用床板４は容易に荷台９上から取り外される。このように専用床板４は、貨物車輌８の荷台９に対し着脱可能である。
専用床板４については、以上のとおり。
【００２０】
《レール５について》
次にレール５について、図１，図２の（１）図〜（４）図等を参照して、説明する。レール５は、専用床板４上に前後方向に形成されており、機器ラック３を載せて移動させることが可能である。まずレール５としては、リップ溝形鋼等、内リブ状のリップ部付のレール溝１７を備えたものが、代表的に使用される。
レール５は図示例では、専用床板４上に２本１組で偶数組形成され、もって最大で同偶数の整数倍の機器ラック３が、貨物車輌８の荷台９上に積載可能となっている。
そして図示例では、専用床板４上に２本１組のレール５が、２組形成されており、もって最大で２組の整数倍（２個又は４個）の機器ラック３が、その上に積載可能となっている。つまり最大で、図１の（１）図の例では２個の機器ラック３が、図１の（２）図の例では４個の機器ラック３が、それぞれ積載可能となっている。
ところで本発明は、このような図示例に限定されるものではなく、次のように構成することも可能である。
すなわち、レール５を２本１組で奇数組形成し（例えば１組）、もって最大で同奇数の整数倍の機器ラック３を、積載するようにすることも可能である。又、２本１組のレール５ではなく、１本のレール５を単数又は複数使用することも可能である。
【００２１】
図１の（１）図の例において、レール５は、前後方向長さ寸法が、１個の機器ラック３の前後方向長さ寸法に、略見合った設定よりなる。このレール５は、専用床板４の前後方向前側にのみ、形成されている。
これに対し、図１の（２）図の例において、レール５は、前後方向長さ寸法が、１個の機器ラック３の前後方向長さ寸法の２倍に、略見合った設定よりなる。このレール５は、専用床板４の前後方向の前側前端から後側後端にかけて、形成されている。
レール５については、以上のとおり。
【００２２】
《ロック機構６について》
次に、図２の（３）図〜（５）図を参照して、説明する。ロック機構６は、レール５に載せられた機器ラック３を、専用床板４上で固定可能である。
機器ラック３は、貨物車輌８の荷台９上の専用床板４に、レール５およびロック機構６を使用して、積載，固定される。すなわちロック機構６は、機器ラック３側の固定片１２と専用床板４側のレール溝１７間を係止することにより、積載された機器ラック３を、レール５，専用床板４，貨物車輌８の荷台９上に、固定可能となっている。
【００２３】
図示例のロック機構６について、説明しておく。図示したロック機構６は左右２個使用されており、それぞれハンドル部１８と係止ロック部１９とを、備えている。ハンドル部１８下部軸と、下部の係止ロック部１９中央穴とが、螺刻されたネジにて螺合取付けされている。
そしてロック機構６は、そのハンドル部１８中央部を、機器ラック３側の左右の固定片１２の切欠部に嵌入すると共に、下部の係止ロック部１９を、レール５のレール溝１７内に挿入する。
それから、ハンドル部１８を係止ロック部１９と共に回動せしめると、係止ロック部１９がレール溝１７内面に当接する。そして、更にハンドル部１８を回動して行くと、ハンドル部１８と係止ロック部１９間が螺合締め付けられ、もって両者間に介在する固定片１２とレール溝１７リップ部間が、不動に係止ロックされる。
図示例ではこのようにして、積載された機器ラック３が、ロック機構６にて、レール５，そして専用床板４，更には貨物車輌８の荷台９上に、車輌走行時にあっても不動に固定される。
なお、固定を解く場合は、ハンドル部１８を上述とは逆方向に回動することにより、ロック機構６による固定つまり係止ロック部１９による係止ロックが、解除される。又、ロック機構６による固定方式は、このような図示例に限定されるものではなく、その他各種の公知方式を採用可能である。
ロック機構６については、以上のとおり。
【００２４】
《台車７について》
次に、台車７について、図３の（２）図を参照して説明する。台車７は、機器ラック３を載せると共に、キャスター２０にて移動可能である。
この台車７には、機器ラック３のガイド条１１と嵌まり合う寸法設定よりなり、機器ラック３の固定片１２に対応可能な固定突片２１が、前後方向に突設されている。そしてロック機構６は、固定片１２と固定突片２１間を係止することにより、積載された機器ラック３を、台車７上に固定可能である。
【００２５】
これらについて、更に詳述する。まず、台車７の左右寸法が機器ラック３の左右寸法に見合った設定よりなると共に、機器ラックの底面下左右に設けられたガイド条１１が、外嵌される左右寸法設定よりなる。
又、図示例では、台車７の前側下端縁に、固定突片２１が突設取付けされており、この固定突片２１は、積載された機器ラック３の固定片１２に見合った高さ位置に、形成されている。もって、台車７上に機器ラック３を積載すると、その左右の固定片１２に、台車７側の固定突片２１が重ね合わせられる。
そして、機器ラック３側の左右の固定片１２に形成された切欠部と、固定突片２１の左右に形成された両切欠部とが、それぞれ対応位置する設定よりなり、両者間にそれぞれ、ロック機構６のハンドル部１８中央部を嵌入する。
後は前述した所に準じ、ハンドル部１８を回動して行くと、ハンドル部１８と係止ロック部１９間が螺合締め付けられ、もって両者間に介在する固定片１２と固定突片２１間が、不動に係止ロックされる。
図示例ではこのようにして、機器ラック３（側の固定片１２）が、台車７（側の固定突片２１）に、固定される。なお、ロック機構６による固定方式は、このような図示例に限定されるものではなく、その他各種の公知方式を採用可能である。
台車７については、以上のとおり。
【００２６】
《ＴＶ中継システムの使用態様》
次に、このＴＶ中継システムの使用態様１，２について、説明する。このＴＶ中継システムは、使用態様１として、スタジオ外でのＴＶ中継作業に使用可能であると共に、使用態様２として、スタジオ内でのＴＶ中継作業にも使用可能である。
まず使用態様１では、図５の（１）図，（２）図に示したように、機器ラック３は、貨物車輌８の荷台９上の専用床板４に、積載，固定されている。そして目的地において、機器ラック３に収納されたＴＶ中継用の周辺機材２が、荷台９に共に積載されていたＴＶカメラ１であって車外に持ち出されたＴＶカメラ１に、接続され、もってスタジオ外でのＴＶ中継作業に使用される。このように使用態様１では、貨物車輌２がＴＶ中継車として使用される。
これに対し使用態様２では、図３の（２）図に示したように、機器ラック３が、貨物車輌８の荷台９上の専用床板４から積み降ろされ、もって台車７上に積載，固定されて移動される。
これと共に使用態様２では、機器ラック３に収納されたＴＶ中継用の周辺機材２が、例えば同様に貨物車輌８から積み降ろされたＴＶカメラ１に、接続される。もって、スタジオ内でのＴＶ中継作業に使用される。
ＴＶ中継システムの使用態様については、以上のとおり。
【００２７】
《スタジオ外での使用態様の一例について》
ところで、使用態様１に関連して、次の使用態様１’も考えられる。この使用態様１’について説明しておく。
まず前提として、２本１組のレール５は、前後方向に機器ラック３を少なくとも２個載せることが可能な前後長さ寸法を備えてなるものの、機器ラック３は、この２本１組のレール５あたり、１個のみ載せられる。代表的には、図１の（２）図に示した４本２組のレール５について、機器ラック３が、左右の組に各１個ずつ計２個載せられる。
そして、貨物車輌８による運搬走行時においては、次のとおり。まず、周辺機材２を収納した機器ラック３は、レール５の前側位置に積載されて、ロック機構６にて固定されている。これと共に、専用床板４上の後側位置には、ＴＶカメラ１，三脚，ケーブル，可搬型発電機等の付帯機材が、積載されている。
これに対し、スタジオ外の目的地でのＴＶ中継作業時においては、次のとおり。まず、ＴＶカメラ１，三脚，ケーブル，発電機等の付帯機材が、車外に搬出される。これと共に、周辺機材２を収納した機器ラック３が、前側位置から後側位置に移動され、後側位置にてロック機構６にて固定される。
もって、専用床板４上の前側位置のスペースが、ＴＶ中継用の作業スペースとして、活用可能となる。つまり、周辺機材２の操作実施，操作準備，中継指揮用等の作業スペース，空間エリアとして、テーブル等も置きつつ活用可能となる。
スタジオ外での使用態様の一例については、以上のとおり。
【００２８】
《作用等》
本発明のＴＶ中継システムは、以上説明したように構成されている。そこで、以下のようになる。
（１）このＴＶ中継システムは、ＴＶカメラ１と、ＴＶ中継用の各種周辺機材２を収納した機器ラック３（図４，図５の（１）を参照）と、レール５付の専用床板４と、ロック機構６と、台車７等を備えている。
【００２９】
（２）そして、このＴＶ中継システムは、次のように用いられる。まず、スタジオ外でのＴＶ中継作業に関しては、次のとおり。前提として、レール５付の専用床板４が、貨物車輌８の荷台９上に取付けられている（図１を参照）。
そして、周辺機材２を収納した機器ラック３が、この専用床板４上に、レール５やロック機構６を利用して積載，固定されている（図２，図５の（１）図を参照）。積載，固定には、例えば、機器ラック３側のガイド条１１，固定片１２や、レール５側のレール溝１７が利用される。
【００３０】
（３）それから、貨物車輌８が目的地まで走行，運搬移動する。そして、移動先，目的地の中継現場では、荷台９に積載されていたＴＶカメラ１が、車外に搬出される（図５の（２）図を参照）。そして、機器ラック３に収納されたＴＶ中継用の周辺機材２が、このＴＶカメラ１に接続されて操作され、もってスタジオ外でのＴＶ中継作業が実施される。
機器ラック３の周辺機材２は、中継サブシステムとして使用される。ＴＶ中継は、映像と音声について、生中継用又は収録用に実施される。
【００３１】
（４）このように、この貨物車輌８は、ＴＶ中継車として使用される。なお、次のような使用例も可能である。まず貨物車輌８による走行，運搬移動時において、機器ラック３は、レール５や専用床板４の前側位置に、積載，固定される。後側位置には、ＴＶカメラ１，三脚，ケーブル，発電機等の付帯機材が積載される。
そしてＴＶ中継作業時において、付帯機材が車外に搬出され、機器ラック３は、後側位置に移動，固定される。もって、これと共に空いた前側位置が、ＴＶ中継用の作業スペースとして活用可能となる。
【００３２】
（５）他方、スタジオ内でのＴＶ中継作業に関しては、次のとおり。周辺機材２を収納した機器ラック３は、貨物車輌８の荷台９の専用床板４から積み降ろされて、台車７上に積載，固定される（図３の（２）図を参照）。
そして台車７にて、スタジオ内へと移動されると共に、機器ラック３に収納された周辺機材２が、ＴＶカメラ１に接続される。
【００３３】
（６）もって、スタジオ内でのＴＶ中継作業が実施される。機器ラック３に収納された周辺機材２は、中継サブシステムとして使用され、もって映像と音声について、生中継又は収録が実施される。
なおＴＶカメラ１は、貨物車輌８の荷台９から積み降ろされたものの外、スタジオに常備されると共に周辺機材２にマッチング可能なものも、使用に供することができる。
【００３４】
（７）さてそこで、本発明のＴＶ中継システムによると、次のようになる。まず、このＴＶ中継システムは、スタジオ外でのＴＶ中継作業に使用されると共に、スタジオ内でのＴＶ中継作業にも使用可能である。
もってその分、ＴＶカメラ１やＴＶ中継用の周辺機材２は、長時間休眠状態となることなく、稼働率が向上する。
又、スタジオ外でのＴＶ中継作業がない時、使用された貨物車輌８は無架装方式なので、レール５付の専用床板４を取り外すだけで、他の通常用途，一般用途に使用可能であり（図５の（３）図を参照）、長時間休眠状態とされることもなく、貨物車輌８の稼働率も向上する。
【００３５】
（８）又、このＴＶ中継システムに関する作業は、簡単である。すなわち、スタジオ外でのＴＶ中継のために、機器ラック３を、貨物車輌８の荷台９上の専用床板４に対し、レール５，固定片１２，ロック機構６等を利用して、積載，固定する作業は、少人数の人力で容易に可能である。
スタジオ内でのＴＶ中継のために、機器ラック３を、貨物車輌８から積み降ろして、台車７に積載，固定する作業も、同様に、少人数の人力で容易に可能である。
【００３６】
（９）更に、このＴＶ中継システムにおいて、用いられる貨物車輌８は、荷台９上に、レール５付の専用床板４を着脱可能に取付けるだけで、ＴＶ中継車として使用される。特に架装改装することもなく、一般的なワゴン車や小型貨物車等の貨物車輌８を、そのまま、ＴＶ中継車として使用可能であり、コスト負担面にも優れている。
本発明の作用等については、以上の通り。
【符号の説明】
【００３７】
１  ＴＶカメラ
２  周辺機材
３  機器ラック
４  専用床板
５  レール
６  ロック機構
７  台車
８  貨物車輌
９  荷台
１０  棚
１１  ガイド条
１２  固定片
１３  取手
１４  荷室
１５  ナット
１６  ボルト
１７  レール溝
１８  ハンドル部
１９  係止ロック部
２０  キャスター
２１  固定突片
【図１】
0005898151.tif 000002
【図２】
0005898151.tif 000003
【図３】
0005898151.tif 000004
【図４】
0005898151.tif 000005
【図５】
0005898151.tif 000006